(57)【要約】【課題】既存の標準的な床荷重を設計値として作られている建物の任意の階の床面を、設計床荷重の範囲を越えることなく、所用の傾斜を持った新たな床下地とする。新たに作られる床下地を利用して観客席を階段状に配置することにより、当該階を劇場や映画館として利用することが可能となる。【解決手段】既存の建物の床面における嵩上げすべき領域の上にＥＰＳブロックのような樹脂発泡体ブロック１０を積み上げて、傾斜した部分を造る。その上を適宜の床仕上げ材７で覆い、椅子５を取り付ける。樹脂発泡体ブロックは軽量であり、所用の圧縮強度も備えるので、床荷重を大きく上げることなく、施工することができる。【選択図】  図１
2004293079.tif 000002
【特許請求の範囲】
【請求項１】
建物床面の全部または一部を傾斜した部分を有するように嵩上げする工法であって、嵩上げすべき既存の床面領域の上に傾斜した部分が得られるように樹脂発泡体ブロックを配置して嵩上げを行い、配置した樹脂発泡体ブロックの上面を適宜の床仕上げ材で覆って新たな床下地とすることを特徴とする床嵩上げ工法。
【請求項２】
樹脂発泡体ブロックとしてＥＰＳブロックを用いることを特徴とする請求項１に記載の床嵩上げ工法。
【請求項３】
建物床面の全部または一部の領域に傾斜した部分を有するように嵩上げ配置された樹脂発泡体ブロックと、配置された樹脂発泡体ブロックの表面を覆う適宜の表面材とにより形成された新たな床下地とを少なくとも備えることを特徴とする床嵩上げ構造体。
【請求項４】
樹脂発泡体ブロックがＥＰＳブロックである請求項３に記載の床嵩上げ構造体。
【発明の詳細な説明】
【０００１】
【発明の属する技術分野】
本発明は、例えば既存の建物における平坦な床面に対して嵩上げを行い、所要に傾斜した部分を有する新たな床下地を形成するための床嵩上げ工法および床嵩上げ構造体に関する。
【０００２】
【従来の技術】
通常の多目的ビルは、低層のものも高層のものも、事務スペースとしての標準的な床荷重を設計基準値として各階のフロアが画一的に作られるのが普通である。このような建物のある特定の階を例えば劇場や映画館などに改装することは通常は行われない。その理由は、劇場や映画館では、多数の観客が同じ場所（ステージあるいはスクリーン）を良好な視野のもとで同時に観ることができることが必須の条件であり、そのためには、新たに多数の客席を階段状に設置することが必要となるところ、事務スペースとしての標準的な床荷重内で、そのように観客席を固定するのに必要な、所用角度に傾斜した部分を持つ新たな床下地を既存の床面上に作り出すことが困難であることによる。
【０００３】
特定の階に劇場や映画館などを設けることが建物の設計時に決まっている場合には、その階の耐床荷重を他の階よりも大きく設計しておき、適宜の手法により平坦な床スラブの上に傾斜を持った床下地面を造成することは容易である。例えば、１つの手法として、コンクリート床スラブの上に高さが階段状あるいは傾斜状となるように多数の支柱を立設し、その上に鋼板を敷き詰めて新たな床下地面とする床組み工法が提案されている（特許文献１：特開２０００−３０９９９号公報など参照）。
【０００４】
【特許文献１】
特開２０００−３０９９９号公報
【０００５】
【発明が解決しようとする課題】
特許文献１に記載される床組み工法を、事務スペースとしての標準的な床荷重により設計された床面にそのまま適用することは、設計床荷重を越えてしまうことから、通常はできない。例え全床面積では設計床荷重範囲内で施工が可能であるとしても、オフィススペースである階の床の上に床組みのための多数の支柱を立設すると、その部分に集中荷重が生じて床面破壊などが生じる恐れがある。
【０００６】
本発明は上記のような事情に鑑みてなされたものであり、既存のオフィスビルのようにほとんどの階が標準的な床荷重を設計値として作られている建物の任意の階の床面を、設計床荷重の範囲内で傾斜を持った新たな床下地とすることを可能とする新たな床嵩上げ工法とその構造体を提供することを目的とする。新たに作られる床下地を利用して観客席を階段状に配置することにより、当該階を劇場や映画館として利用することが可能となる。
【０００７】
【課題を解決するための手段】
上記の課題を解決するための本発明による床嵩上げ工法は、建物床面の全部または一部に傾斜した部分を有するように嵩上げする工法であって、嵩上げすべき既存の床面領域の上に傾斜した部分が得られるように樹脂発泡体ブロックを配置して嵩上げを行い、その後で、配置した樹脂発泡体ブロックの上面を適宜の床仕上げ材で覆って新たな床下地とすることを特徴とする。
【０００８】
本発明において、既存の床面上に配置する嵩上げ材として、樹脂発泡体ブロックを用いている。樹脂発泡体は軽量であり、所要に嵩上げしたときに既存の床面にかかる荷重を低い値に抑えることができる。また、ブロックを床面に並べて配置することから、部分的に集中荷重が発生することはなく、局部的に床面が破損するようなこともない。
【０００９】
樹脂発泡体ブロックは任意の大きさのものを容易に得ることが可能であり、嵩上げ施工をしようとするフロアに設けられた既存の出入口を利用して、施工現場に容易に搬入することができる。軽量であることから階段状に積み上げていく作業も容易であり、任意の勾配の斜面を容易に作り出すことができる。上面全体を階段状にしてもよく、なだらかなスロープ状としてもよい。一部を階段とし一部をスロープとしてもよい。一部に平坦な箇所を形成してもよい。また、適宜の係止具を用いて隣接する樹脂発泡体ブロック同士を互いに系着するようにすれば、積み上げ後の姿勢を一層安定化させることができる。接着剤で相互に貼り合わせてもよい。
【００１０】
嵩上げする床面領域は、当該床面の全面であってもよく、その一部であってもよい。一部にのみ本発明による嵩上げ工法を適用する場合に、残りの領域は既存の床面のままでもよく、強度的および構造的に許容される場合には、前記特許文献１に記載したような他の床組み工法により適宜の床下地面を形成し、両者を併せて１つの床下地構造としてもよい。
【００１１】
所要に樹脂発泡体ブロックを積み上げて既存の床面を嵩上げした後、その上面を適宜の床仕上げ材で覆う。床仕上げ材には、コンクリートパネルやフローリングパネルのようなものを用いることができる。床仕上げ材の目的は、樹脂発泡体ブロックの保護と共に、新たに形成した床下地面に客席としての椅子などを固定するときの支持基板としての機能を持たせることにあり、施工後の当該フロアの使用目的を考慮して適宜のものを選択すればよい。樹脂発泡体は所要の耐圧縮強度を持つので、新たに作り上げた床下地面の上に観客用の椅子など取り付けても、取り付け姿勢が乱れることはない。
【００１２】
樹脂発泡体ブロックとしては、従来の軟弱地盤などに道路などを構築するときに採用されている軽量盛土工法において用いられている、ＥＰＳ（発泡ポリスチレン）、発泡ウレタンなどの樹脂発泡体ブロックを適宜用いることができるが、施工性を考慮すると、ＥＰＳブロックを用いることは好ましい。発泡倍率は３０倍〜８０倍程度であることが現実的である。８０倍より高いと上からの荷重で変形する恐れがあり、３０倍より低いと床面にかかる荷重が大きくなり設計床荷重を越える場合が起こりうる。
【００１３】
本発明は、また、上記床嵩上げ工法で作られる構造体として、建物床面の全部または一部の領域に傾斜した部分を有するように嵩上げ配置された樹脂発泡体ブロックと、配置された樹脂発泡体ブロックの表面を覆う適宜の表面材とにより形成された新たな床下地とを少なくとも備えることを特徴とする床嵩上げ構造体をも開示する。ここで用いる樹脂発泡体ブロックも任意であるが、施工コストや施工後の安定性を考慮すると、ＥＰＳブロックであることは特に好ましい。
【００１４】
本発明は、既存の多目的ビルのように各階の床構造が画一的に作られている建物の床面に適用するときに、最もその有効性を発揮する。しかしそれに限らず、新たに設計する建物の床面の一部または全部に適用することもできる。また、既存の劇場や映画館などの床面を改修する際にも、その全部または一部の床領域に適用することもできる。
【００１５】
【発明の実施の形態】
以下、本発明の実施の形態を図面を参照しながら説明する。図１は本発明による床嵩上げ工法によって造られた嵩上げ構造体の一例を示している。この建物は通常の多目的ビルとして構築されたものであり、標準的な床荷重を設計基準値として造られたコンクリート床スラブ１の上に、適宜の支持材２を介して、フラットな床面３が造られている。
【００１６】
このフロアを例えば映画館として利用するための改装を行う。まず、一方の壁面に隣接してスクリーン４を取り付ける。スクリーン４に向かうようにして、階段状に多列に椅子５を設置することとなるが、そのための床面嵩上げ材として樹脂発泡体ブロック１０を用いる。施工現場での出入口の大きさなどを考慮して適宜の大きさとした多数の樹脂発泡体ブロック１０を搬入し、それをスクリーン４側は低く、対向する壁面に向けて次第に高くなるように、段積みしていく。
【００１７】
図示のように、最もスクリーン４に近い領域は最も低い面となるが、観客の歩行領域となる部分でもあり、幅広な平坦面領域６ａとしておくのが望ましい。それに連続して何段かを階段状に積み上げた領域６ｂとし、再度、歩行領域としての平坦面領域６ｃを形成した後、対向する壁面まで階段状に積み上げた領域６ｄとする。
【００１８】
このように、床面３の全体に多数の樹脂発泡体ブロック１０を積み上げて嵩上げを行っても、樹脂発泡体ブロック１０は軽量物であり床面３に作用する荷重は小さい。また、樹脂発泡体ブロック１０の裏面は平坦面であり、集中荷重が床面に生じることもない。さらに、隣接する樹脂発泡体ブロック同士は、隣接面間に所用の摩擦抵抗を有しており、単に積み上げるだけで十分な位置安定性を持つ。もちろん、適宜の係止具あるいは接着剤を用いて、積み上げたブロックの自由移動を阻止するようにしてもよい。
【００１９】
このようにして階段状に積み上げた樹脂発泡体ブロック１０の上面に、コンクリートパネルのような床仕上げ材７を取り付け、必要な場合には、その上にさらにフローリングのような化粧シートを貼り付けることにより、新たな床下地が形成される。持ち運びのできる椅子を観客席とする場合には、この段階で改装作業は終了する。図示のように固定した椅子を設ける場合には、椅子５の取り付け作業を継続して行う。
【００２０】
本発明による上記嵩上げ構造体では、嵩上げ材として軽量な樹脂発泡体ブロックを用いており、その上に床仕上げ材７および椅子５を取り付けたとしても、床面にかかる全荷重を小さなものとすることが可能であり、当初の床面の設計床荷重の範囲内で、すべての作業を終えることが可能となる。それにより、多目的ビルの任意の階を劇場や映画館に模様替えすることが、現実的なものとなる。
【００２１】
図２は本発明による床嵩上げ工法によって造られた嵩上げ構造体の他の例を示している。ここでは、前記した、スクリーン４に最も近い幅広な平坦面領域６ａと、それに連続する階段状の領域６ｂと、そこに続く平坦面領域６ｃの部分の嵩上げ材として樹脂発泡体ブロック１０を用い、後方の壁面まで続く階段状領域６ｄの部分は、従来法による床組を用いて新たな床下地面を形成している。当初の床面３が部分的に従来法による床組を許容するだけの床強度を備えている場合には、このような施工法も可能である。なお、当初の床面３からの離間距離がわずかしかない状態で新たな床下地６（６ａ〜６ｃ）を床組しながら階段状に造っていくことは困難であったが、本発明の方法では、単に樹脂発泡体ブロック１０を積み上げるだけであり、容易に新たな床下地６（６ａ〜６ｃ）を作り出せる利点もある。このことは、本発明による工法は、新たに設計する建物の床面の一部または全部にも有効に適用できること、さらに、既存の劇場や映画館などの床面を改修する際にも、その全部または一部の床領域に有効に適用することもできることを示している。
【００２２】
図３は本発明による床嵩上げ工法によって造られた嵩上げ構造体のさらに他の例を示している。ここでは、出入口９から前記した中央の平坦面領域６ｃの部分に向けてなだらかなスロープとなるように樹脂発泡体ブロック１０を積み上げ、そこに歩行者用に通路領域６ｅを設けている点で、図２に示した形態と異なっている。通路領域６ｅ部分の床仕上げ材７ａは他の部分の床仕上げ材７と同じであってもよく、異なっていてもよいが、歩行のし易さからリノリウムのようなすべりにくい材料を積層させることが好ましい。このような傾斜の緩やかな歩行者用の通路領域６ｅを設けることにより、例えば車椅子での入場が容易にできるようになり、バリアフリー化としても有効となる。もし、床面に基材の階段が設置されている場合には、その階段を取り除くことなく、その上から樹脂発泡体ブロック１０を積み上げて傾斜の緩やかな歩行者用の通路領域６ｅに模様替えすることもできる。
【００２３】
【発明の効果】
上記のように、本発明によれば、既存のオフィスビルのようにほとんどの階が標準的な床荷重を設計値として作られている建物の任意の階の床面を、設計床荷重の範囲を越えることなく、所用の傾斜を持った新たな床下地とすることが可能となる。新たに作られる床下地を利用して観客席を階段状に配置することにより、当該階を劇場や映画館として利用することも可能となる。
【図面の簡単な説明】
【図１】本発明による床嵩上げ工法によって造られた嵩上げ構造体の一例を示す図。
【図２】本発明による床嵩上げ工法によって造られた嵩上げ構造体の他の例を示す図。
【図３】本発明による床嵩上げ工法によって造られた嵩上げ構造体のさらに他の例を示す図。
【符号の説明】
１…コンクリート床スラブ、３…床面、４…スクリーン、５…椅子、１０…樹脂発泡体ブロック、６ａ…幅広な平坦面領域、６ｂ…階段状に積み上げた領域、６ｃ…平坦面領域、６ｄ…階段状に積み上げた領域、６ｅ…通路領域、７…床仕上げ材
【図１】
2004293079.tif 000003
【図２】
2004293079.tif 000004
【図３】
2004293079.tif 000005